(57)【特許請求の範囲】
【請求項１】
複数の異なるビデオ再生装置と、これら複数のビデオ再生装置のうちの１つを選択するビデオ入力切替回路部と、前記選択されたビデオ再生装置からのビデオ信号を高周波ビデオ信号に変換して送信するビデオ送信回路部と、受信した高周波リモコン信号をもとのリモコン信号に変換するリモコン受信回路部と、このリモコン信号を電気信号から赤外線信号に変換する発光回路部とを備えたビデオ送信機と、
前記高周波ビデオ信号を受信して映像信号及び音声信号に変換するビデオ受信回路部と、前記映像信号を画像表示する表示回路部と、前記音声信号を音声に変換する音声回路部と、赤外線リモコン送信機と、この赤外線リモコン送信機からの赤外線信号を電気信号であるリモコン信号に変換する受光回路部と、前記リモコン信号を高周波リモコン信号に変換して送信するリモコン送信回路部とを備えたビデオ受信機とからなるビデオ無線送受信システムにおいて、
前記ビデオ無線送受信システムの赤外線リモコン送信機は、前記ビデオ再生装置のうち１つを選択する選択データ信号を発生するためのビデオ入力選択キーと、前記複数の異なるビデオ再生装置を共通に操作する第１の機能データ信号を発生するための共通機能キーとを備え、
前記ビデオ受信機は、前記選択データ信号に基づき、前記第１の機能データ信号を前記選択されたビデオ再生装置を操作するための第２の機能データ信号に変換するデータ変換手段を備え、
前記ビデオ入力切替回路部は、前記複数のビデオ再生装置を接続するための複数のビデオ入力端子を有し、
前記ビデオ受信機は、前記選択データ信号に基づき選択されているビデオ入力端子がメモリされた第１のメモリ回路部と、前記複数のビデオ入力端子それぞれに接続されたビデオ再生装置がメモリされた第２のメモリ回路部と、前記複数のビデオ再生装置それぞれの前記第２の機能データ信号がメモリされた第３のメモリ回路部とを備え、
前記データ変換手段は、前記第１の機能データ信号が入力された場合に、前記第１及び第２のメモリ回路部から選択されているビデオ再生装置を読み出し、このビデオ再生装置の前記第１の機能データ信号に基づく機能に該当する第２の機能データ信号を前記第３のメモリ回路部より読み出して出力し、
前記ビデオ受信機は、前記選択データ信号に基づき選択されているビデオ入力端子を前記第１のメモリ回路部に入力するとともに、前記複数のビデオ入力端子それぞれに接続されたビデオ再生装置を前記第２のメモリ回路部に入力するビデオ入力設定手段を備え、
前記ビデオ入力設定手段は、前記ビデオ再生装置の赤外線リモコン送信機のリモコン信号からビデオ再生装置を判別する装置判別手段と、前記第２のメモリ回路部を書き替えできる状態に設定するメモリ書替設定手段とを備え、前記メモリ書替設定手段により前記第２のメモリ回路部を書き替えできる状態に設定された場合に、前記ビデオ無線送受信システムの赤外線リモコン送信機からの選択データ信号に基づきビデオ入力端子を選択して第１のメモリ回路部へ入力し、このビデオ入力端子に対して前記装置判別手段により判別したビデオ再生装置を前記第２のメモリ回路部に入力し、
前記メモリ書替設定手段は、規定時間を計時するタイマを備え、前記ビデオ無線送受信システムの赤外線リモコン送信機からの選択データ信号を前記規定時間の間入力し続けると、前記第２のメモリ回路部は書き替えできる状態に設定され、前記ビデオ入力設定手段が選択したビデオ入力端子を前記第１のメモリ回路部に入力し、前記装置判別手段により判別したビデオ再生装置を前記第２のメモリ回路部に入力することを特徴とするビデオ無線送受信システム。
【請求項２】
複数の異なるビデオ再生装置と、これら複数のビデオ再生装置のうちの１つを選択するビデオ入力切替回路部と、前記選択されたビデオ再生装置からのビデオ信号を高周波ビデオ信号に変換して送信するビデオ送信回路部と、受信した高周波リモコン信号をもとのリモコン信号に変換するリモコン受信回路部と、このリモコン信号を電気信号から赤外線信号に変換する発光回路部とを備えたビデオ送信機と、
前記高周波ビデオ信号を受信して映像信号及び音声信号に変換するビデオ受信回路部と、前記映像信号を画像表示する表示回路部と、前記音声信号を音声に変換する音声回路部と、赤外線リモコン送信機と、この赤外線リモコン送信機からの赤外線信号を電気信号であるリモコン信号に変換する受光回路部と、前記リモコン信号を高周波リモコン信号に変換して送信するリモコン送信回路部とを備えたビデオ受信機とからなるビデオ無線送受信システムにおいて、
前記ビデオ無線送受信システムの赤外線リモコン送信機は、前記ビデオ再生装置のうち１つを選択する選択データ信号を発生するためのビデオ入力選択キーと、前記複数の異なるビデオ再生装置を共通に操作する第１の機能データ信号を発生するための共通機能キーとを備え、前記ビデオ送信機は、前記選択データ信号に基づき、前記第１の機能データ信号を前記選択されたビデオ再生装置を操作するための第２の機能データ信号に変換するデータ変換手段を備え、
前記ビデオ入力切替回路部は、前記複数のビデオ再生装置を接続するための複数のビデオ入力端子を有し、
前記ビデオ送信機は、前記選択データ信号に基づき選択されているビデオ入力端子がメモリされた第１のメモリ回路部と、前記複数のビデオ入力端子それぞれに接続されたビデオ再生装置がメモリされた第２のメモリ回路部と、前記複数のビデオ再生装置それぞれの前記第２の機能データ信号がメモリされた第３のメモリ回路部とを備え、
前記データ変換手段は、前記第１の機能データ信号が入力された場合に、前記第１及び第２のメモリ回路部から選択されているビデオ再生装置を読み出し、このビデオ再生装置の前記第１の機能データ信号に基づく機能に該当する第２の機能データ信号を前記第３のメモリ回路部より読み出して出力し、
前記ビデオ送信機は、前記選択データ信号に基づき選択されているビデオ入力端子を前記第１のメモリ回路部に入力するとともに、前記複数のビデオ入力端子それぞれに接続されたビデオ再生装置を前記第２のメモリ回路部に入力するビデオ入力設定手段を備え、
前記ビデオ入力設定手段は、前記ビデオ再生装置の赤外線リモコン送信機のリモコン信号からビデオ再生装置を判別する装置判別手段と、前記第２のメモリ回路部を書き替えできる状態に設定するメモリ書替設定手段とを備え、前記メモリ書替設定手段により前記第２のメモリ回路部を書き替えできる状態に設定された場合に、前記ビデオ無線送受信システムの赤外線リモコン送信機からの選択データ信号に基づきビデオ入力端子を選択して第１のメモリ回路部へ入力し、このビデオ入力端子に対して前記装置判別手段により判別したビデオ再生装置を前記第２のメモリ回路部に入力し、
前記メモリ書替設定手段は、規定時間を計時するタイマを備え、前記ビデオ無線送受信システムの赤外線リモコン送信機からの選択データ信号を前記規定時間の間入力し続けると、第２のメモリ回路部は書き替えできる状態に設定され、前記ビデオ入力設定手段が選択したビデオ入力端子を前記第１のメモリ回路部に入力し、前記装置判別手段により判別したビデオ再生装置を前記第２のメモリ回路部に入力することを特徴とするビデオ無線送受信システム。
【請求項３】
前記ビデオ受信機の表示回路部及び音声回路部は、テレビジョンであり、前記ビデオ無線送受信システムの赤外線リモコン送信機は、前記テレビジョンを操作する赤外線リモコン送信機であることを特徴とする請求項１または２に記載のビデオ無線送受信システム。
【発明の詳細な説明】
【０００１】
【発明の属する技術分野】
本発明は、ビデオ信号を無線で送信するためのビデオ送信機と、前記無線で送信されたビデオ信号を受信するビデオ受信機とからなるビデオ無線送受信システムに関するものである。
【０００２】
【従来の技術】
図７は、従来のビデオ無線通信システムの概略的構成を示すブロック回路図である。図７の従来のビデオ無線通信システム５０は、以下の回路構成からなる。ビデオ無線通信システム５０は、ビデオ送信機６０とビデオ受信機７０とからなる。
【０００３】
そして、ビデオ送信機６０は、ビデオ再生装置６１，６２，６３、ビデオ入力切替回路部６４、ビデオ送信回路部６５、アンテナ６６、リモコン受信回路部６７及び発光回路部６８からなる。ビデオ再生装置６１，６２，６３は、ビデオ入力切替回路部６４を介してビデオ送信回路部６５の入力に接続され、ビデオ送信回路部６５の出力はアンテナ６６に接続されている。また、アンテナ６６は、リモコン受信回路部６７の入力に接続され、リモコン受信回路部６７の出力は発光回路部６８に接続されている。
【０００４】
ビデオ受信機７０は、アンテナ７１、ビデオ受信回路部７２、音声回路部７３、表示回路部７４、赤外線リモコン送信機７５、受光回路部７６及びリモコン送信回路部７７からなる。アンテナ７１はビデオ受信回路部７２の入力に接続され、ビデオ受信回路部７２の出力は音声回路部７３及び表示回路部７４に接続され、受光回路部７６はリモコン送信回路部７７の入力に接続され、リモコン送信回路部７７の出力はアンテナ７１に接続されている。
【０００５】
次に、図７の従来のビデオ無線通信システム５０の動作について説明する。ビデオ送信機６０において、ビデオ入力切替回路部６４を切り替えることにより、ビデオ再生装置６１，６２，６３のうち１つを選択する。図７では、例えば、ビデオ再生装置６２が選択されている。ビデオ信号発生装置６２から出力されたビデオ信号は、ビデオ送信回路部６５により高周波ビデオ信号に変換されて、アンテナ６６からビデオ受信機７０へ送信される。
【０００６】
また、アンテナ６６から受信した高周波リモコン信号は、リモコン受信回路部６７によりもとのリモコン信号に変換される。このリモコン信号は、発光回路部６８により電気信号から赤外線信号ＩＲに変換され、この赤外線信号ＩＲは、ビデオ再生装置６１，６２，６３それぞれの図示しないリモコン受光部に入力される。
【０００７】
ビデオ受信機７０において、ビデオ送信機６０から送信された高周波ビデオ信号をアンテナ７１で受信する。受信した高周波ビデオ信号はビデオ受信回路部７２により映像信号及び音声信号に変換され、前記映像信号は表示回路部７４により画像表示され、前記音声信号は音声回路部７３により音声に変換される。
【０００８】
また、赤外線リモコン送信機７５からの赤外線信号ＩＲは、受光回路部７６により電気信号であるリモコン信号に変換され、このリモコン信号は、リモコン送信回路部７７により高周波リモコン信号に変換され、アンテナ７１よりビデオ送信機６０に送信される。
【０００９】
上述のように、赤外線リモコン送信機７５からの赤外線信号ＩＲは、受光回路部７６→リモコン送信回路部７７→アンテナ７１→アンテナ６６→リモコン受信回路部６７→発光回路部６８→ビデオ再生装置６１，６２，６３それぞれの図示しないリモコン受光部の経路で伝達され、赤外線リモコン送信機７５により離れた場所に設置されたビデオ再生装置６１，６２，６３を制御することができる。
【００１０】
【発明が解決しようとする課題】
しかしながら、上記従来技術では、ビデオ送信機６０とビデオ受信機７０とは、離れた場所に設置されているため、以下に述べるような問題があった。
【００１１】
すなわち、例えば、ビデオ再生装置６１，６２，６３のメーカーが異なる場合に、ビデオ再生装置６１，６２，６３を操作するためには、それぞれのビデオ再生装置専用の赤外線リモコン送信機を必要とし、操作するビデオ再生装置が替わるたびに、前記赤外線リモコン送信機を交換しながら操作しなけらばならないため非常に不便であった。
【００１２】
また、ビデオ送信機６０のビデオ入力切替回路部６４を切り替えることにより、ビデオ再生装置６１，６２，６３のうちの１つを選択する場合に、使用者は、ビデオ入力切替回路部６４の３つの入力に接続されているビデオ再生装置を覚えておかなければならないという煩わしさがあった。
【００１３】
また、前記使用者は、ビデオ入力切替回路部６４の３つの入力に接続されているビデオ再生装置の接続を変更した場合に、その都度変更した接続を覚え直さないといけないという煩わしさがあった。
【００１４】
本発明は、上記のような課題を解決するためになされたものであって、ビデオ送信機６０の複数のビデオ再生装置６１，６２，６３それぞれを前記赤外線リモコン送信機で操作する場合の操作性を向上させるとともに上記操作にともなう煩わしさを解消させたビデオ無線送受信システムを提供することを目的とする。
【００１５】
【課題を解決するための手段】
上記課題を解決するため、本発明は、複数の異なるビデオ再生装置と、これら複数のビデオ再生装置のうちの１つを選択するビデオ入力切替回路部と、前記選択されたビデオ再生装置からのビデオ信号を高周波ビデオ信号に変換して送信するビデオ送信回路部と、受信した高周波リモコン信号をもとのリモコン信号に変換するリモコン受信回路部と、このリモコン信号を電気信号から赤外線信号に変換する発光回路部とを備えたビデオ送信機と、
前記高周波ビデオ信号を受信して映像信号及び音声信号に変換するビデオ受信回路部と、前記映像信号を画像表示する表示回路部と、前記音声信号を音声に変換する音声回路部と、赤外線リモコン送信機と、この赤外線リモコン送信機からの赤外線信号を電気信号であるリモコン信号に変換する受光回路部と、前記リモコン信号を高周波リモコン信号に変換して送信するリモコン送信回路部とを備えたビデオ受信機とからなるビデオ無線送受信システムにおいて、
前記ビデオ無線送受信システムの赤外線リモコン送信機は、前記ビデオ再生装置のうち１つを選択する選択データ信号を発生するためのビデオ入力選択キーと、前記複数の異なるビデオ再生装置を共通に操作する第１の機能データ信号を発生するための共通機能キーとを備え、
前記ビデオ受信機は、前記選択データ信号に基づき、前記第１の機能データ信号を前記選択されたビデオ再生装置を操作するための第２の機能データ信号に変換するデータ変換手段を備えたことを特徴とするものである。
【００１６】
また、本発明は、前記ビデオ入力切替回路部が、前記複数のビデオ再生装置を接続するための複数のビデオ入力端子を有し、前記ビデオ受信機は、前記選択データ信号に基づき選択されているビデオ入力端子がメモリされた第１のメモリ回路部と、前記複数のビデオ入力端子それぞれに接続されたビデオ再生装置がメモリされた第２のメモリ回路部と、前記複数のビデオ再生装置それぞれの前記第２の機能データ信号がメモリされた第３のメモリ回路部とを備え、
前記データ変換手段は、前記第１の機能データ信号が入力された場合に、前記第１及び第２のメモリ回路部から選択されているビデオ再生装置を読み出し、このビデオ再生装置の前記第１の機能データ信号に基づく機能に該当する第２の機能データ信号を前記第３のメモリ回路部より読み出して出力することを特徴とするものである。
【００１７】
また、本発明は、前記ビデオ受信機が、前記選択データ信号に基づき選択されているビデオ入力端子を前記第１のメモリ回路部に入力するとともに、前記複数のビデオ入力端子それぞれに接続されたビデオ再生装置を前記第２のメモリ回路部に入力するビデオ入力設定手段を備えたことを特徴とするものである。
【００１８】
また、本発明は、複数の異なるビデオ再生装置と、これら複数のビデオ再生装置のうちの１つを選択するビデオ入力切替回路部と、前記選択されたビデオ再生装置からのビデオ信号を高周波ビデオ信号に変換して送信するビデオ送信回路部と、受信した高周波リモコン信号をもとのリモコン信号に変換するリモコン受信回路部と、このリモコン信号を電気信号から赤外線信号に変換する発光回路部とを備えたビデオ送信機と、
前記高周波ビデオ信号を受信して映像信号及び音声信号に変換するビデオ受信回路部と、前記映像信号を画像表示する表示回路部と、前記音声信号を音声に変換する音声回路部と、赤外線リモコン送信機と、この赤外線リモコン送信機からの赤外線信号を電気信号であるリモコン信号に変換する受光回路部と、前記リモコン信号を高周波リモコン信号に変換して送信するリモコン送信回路部とを備えたビデオ受信機とからなるビデオ無線送受信システムにおいて、
前記ビデオ無線送受信システムの赤外線リモコン送信機は、前記ビデオ再生装置のうち１つを選択する選択データ信号を発生するためのビデオ入力選択キーと、前記複数の異なるビデオ再生装置を共通に操作する第１の機能データ信号を発生するための共通機能キーとを備え、
前記ビデオ送信機は、前記選択データ信号に基づき、前記第１の機能データ信号を前記選択されたビデオ再生装置を操作するための第２の機能データ信号に変換するデータ変換手段を備えたことを特徴とするものである。
【００１９】
また、本発明は、前記ビデオ入力切替回路部が、前記複数のビデオ再生装置を接続するための複数のビデオ入力端子を有し、前記ビデオ送信機は、前記選択データ信号に基づき選択されているビデオ入力端子がメモリされた第１のメモリ回路部と、前記複数のビデオ入力端子それぞれに接続されたビデオ再生装置がメモリされた第２のメモリ回路部と、前記複数のビデオ再生装置それぞれの前記第２の機能データ信号がメモリされた第３のメモリ回路部とを備え、
前記データ変換手段は、前記第１の機能データ信号が入力された場合に、前記第１及び第２のメモリ回路部から選択されているビデオ再生装置を読み出し、このビデオ再生装置の前記第１の機能データ信号に基づく機能に該当する第２の機能データ信号を前記第３のメモリ回路部より読み出して出力することを特徴とするものである。
【００２０】
また、本発明は、前記ビデオ送信機が、前記選択データ信号に基づき選択されているビデオ入力端子を前記第１のメモリ回路部に入力するとともに、前記複数のビデオ入力端子それぞれに接続されたビデオ再生装置を前記第２のメモリ回路部に入力するビデオ入力設定手段を備えたことを特徴とするものである。
【００２１】
また、本発明は、前記ビデオ入力設定手段が、前記ビデオ再生装置の赤外線リモコン送信機のリモコン信号からビデオ再生装置を判別する装置判別手段と、前記第２のメモリ回路部を書き替えできる状態に設定するメモリ書替設定手段とを備え、前記メモリ書替設定手段により前記第２のメモリ回路部を書き替えできる状態に設定された場合に、前記ビデオ無線送受信システムの赤外線リモコン送信機のビデオ入力選択キーによりビデオ入力端子を選択し、このビデオ入力端子に対して前記装置判別手段により判別したビデオ再生装置を入力することを特徴とするものである。
【００２２】
また、本発明は、前記メモリ書替設定手段が、規定時間を計時するタイマを備え、前記ビデオ無線送受信システムの赤外線リモコン送信機のビデオ入力選択キーを前記規定時間押し続けることにより前記第２のメモリ回路部は書き替えできる状態に設定され、ビデオ入力選択キーを前記規定時間押し続ける操作により、前記ビデオ入力端子の選択と前記メモリ書き替えの設定を行えるようにしたことを特徴とするものである。
【００２３】
また、本発明は、前記ビデオ受信機の表示回路部及び音声回路部が、テレビジョンであり、前記ビデオ無線送受信システムの赤外線リモコン送信機は、前記テレビジョンを操作する赤外線リモコン送信機であることを特徴とするものである。
【００２４】
【発明の実施の形態】
［第１の実施の形態］
図１は、本発明の第１の実施の形態に係わるビデオ無線送受信システムの概略的構成を示すブロック回路図であり、図２は、本発明の第１の実施の形態に係わるビデオ無線送受信システムの赤外線リモコン送信機の外観図であり、図３は、本発明の第１の実施の形態に係わるビデオ無線送受信システムの第１、第２、第３のメモリ回路部のメモリ内容の様子を説明する図であり、図４は、本発明の第１の実施の形態に係わるビデオ無線送受信システムのデータ変換手段の動作を説明するフローチャート図であり、図５は、本発明の第１の実施の形態に係わるビデオ無線送受信システムのビデオ入力設定手段の動作を説明するフローチャート図である。以下、本発明の第１の実施の形態について、図１から図５を参照して説明する。
【００２５】
図１は、本実施形態のビデオ無線送受信システム１の概略的構成を示すブロック回路図である。図１の本実施形態のビデオ無線送受信システム１は、以下の回路構成からなる。ビデオ無線送受信システム１は、ビデオ送信機１０とビデオ受信機３０とからなる。
【００２６】
ビデオ送信機１０は、ビデオ再生装置１１，１２，１３、ビデオ入力切替回路部１４、ビデオ送信回路部１５、アンテナ１６、リモコン受信回路部１７及び発光回路部１８からなる。そして、ビデオ入力切替回路部１４は、ビデオ入力端子１４ａ，１４ｂ，１４ｃを有している。
【００２７】
ビデオ再生装置１１，１２，１３は、ビデオ入力切替回路部１４のビデオ入力端子１４ａ，１４ｂ，１４ｃにそれぞれ接続され、ビデオ入力切替回路部１４の出力は、ビデオ送信回路部１５の入力に接続され、ビデオ送信回路部１５の出力はアンテナ１６に接続されている。また、アンテナ１６は、リモコン受信回路部１７の入力に接続され、リモコン受信回路部１７の出力は発光回路部１８に接続されている。
【００２８】
ビデオ受信機３０は、アンテナ３１、ビデオ受信回路部３２、音声回路部３３、表示回路部３４、赤外線リモコン送信機３５、受光回路部３６、リモコン送信回路部３７、データ変換手段４０、第１のメモリ回路部４１、第２のメモリ回路部４２、第３のメモリ回路部４３及びビデオ入力設定手段４４からなる。
【００２９】
アンテナ３１はビデオ受信回路部３２の入力に接続され、ビデオ受信回路部３２の出力は音声回路部３３及び表示回路部３４に接続されている。受光回路部３６は、データ変換手段４０及びビデオ入力設定手段４４の入力に接続され、データ変換手段４０の出力はリモコン送信回路部３７の入力に接続され、リモコン送信回路部３７の出力はアンテナ３１に接続されている。
【００３０】
また、データ変換手段４０には、第１のメモリ回路部４１、第２のメモリ回路部４２及び第３のメモリ回路部４３が接続され、第１のメモリ回路部４１及び第２のメモリ回路部４２にはビデオ入力設定手段４４が接続されている。
【００３１】
次に、図１の本実施形態のビデオ無線送受信システム１の動作について説明する。ビデオ送信機１０において、ビデオ入力切替回路部１４を切り替えることにより、ビデオ再生装置１１，１２，１３のうち１つを選択する。図１では、例えば、ビデオ再生装置１２が選択されている。ビデオ信号発生装置１２から出力されたビデオ信号は、ビデオ送信回路部１５により高周波ビデオ信号に変換されて、アンテナ１６からビデオ受信機３０へ送信される。
【００３２】
また、アンテナ１６から受信した高周波リモコン信号は、リモコン受信回路部１７によりもとのリモコン信号に変換される。このリモコン信号は、発光回路部１８により電気信号から赤外線信号ＩＲに変換され、この赤外線信号ＩＲは、ビデオ再生装置１１，１２，１３それぞれの図示しないリモコン受光部に入力される。
【００３３】
ビデオ受信機３０において、ビデオ送信機１０から送信された高周波ビデオ信号をアンテナ３１で受信する。受信した高周波ビデオ信号はビデオ受信回路部３２により映像信号及び音声信号に変換され、前記映像信号は表示回路部３４により画像表示され、前記音声信号は音声回路部３３により音声に変換される。ここで、表示回路部３４及び音声回路部３３は、テレビジョン３８であってもよい。
【００３４】
赤外線リモコン送信機３５は、複数のビデオ再生装置１１，１２，１３のうち１つを選択する「選択データ信号」と、複数のビデオ再生装置１１，１２，１３を共通に操作する「第１の機能データ信号」を赤外線信号ＩＲとして発生する。
【００３５】
そして、赤外線リモコン送信機３５からの赤外線信号ＩＲは、受光回路部３６により電気信号であるリモコン信号、すなわち、「選択データ信号」及び「第１の機能データ信号」に変換され、データ変換手段４０に入力される。
【００３６】
データ変換手段４０は、前記「選択データ信号」に基づき、前記「第１の機能データ信号」を前記選択されたビデオ再生装置を操作するための「第２の機能データ信号」に変換する。この「第２の機能データ信号」は、リモコン送信回路部３７により高周波リモコン信号に変換され、アンテナ３１よりビデオ送信機１０に送信される。
【００３７】
また、第１のメモリ回路部４１には、前記「選択データ信号」に基づき選択されているビデオ入力端子がメモリされており、第２のメモリ回路部４２には、複数のビデオ入力端子１４ａ，１４ｂ，１４ｃそれぞれに接続されたビデオ再生装置１１，１２，１３がメモリされており、第３のメモリ回路部４３には、複数のビデオ再生装置１１，１２，１３それぞれの前記「第２の機能データ信号」がメモリされている。
【００３８】
また、ビデオ入力設定手段４４は、前記「選択データ信号」に基づき選択されているビデオ入力端子を第１のメモリ回路部４１に入力するとともに、複数のビデオ入力端子１４ａ，１４ｂ，１４ｃそれぞれに接続されたビデオ再生装置１１，１２，１３を第２のメモリ回路部４２に入力する。
【００３９】
上述のように、赤外線リモコン送信機３５からの赤外線信号ＩＲは、受光回路部３６→データ変換手段４０→リモコン送信回路部３７→アンテナ３１→アンテナ１６→リモコン受信回路部１７→発光回路部１８→ビデオ再生装置１１，１２，１３それぞれの図示しないリモコン受光部の経路で伝達され、データ変換手段４０を備え、複数のビデオ再生装置１１，１２，１３を共通に操作する「第１の機能データ信号」を前記選択されたビデオ再生装置を操作するための「第２の機能データ信号」に変換することにより、１つの赤外線リモコン送信機３５を用いて離れた場所に設置された複数のビデオ再生装置１１，１２，１３を制御することができる。
【００４０】
図２は、本実施形態のビデオ無線送受信システム１の赤外線リモコン送信機３５の外観図である。赤外線リモコン送信機３５は、ビデオ再生装置１１，１２，１３のうち１つを選択する「選択データ信号」を発生するためのビデオ入力選択キー３５ａと、複数の異なるビデオ再生装置１１，１２，１３を共通に操作する「第１の機能データ信号」を発生するための共通機能キー３５ｃとを備えており、さらに、表示回路部３４及び音声回路部３３がテレビジョン３８である場合の、テレビジョン３８を操作するテレビジョン機能キー３５ｂを備えている。
【００４１】
図３は、本実施形態のビデオ無線送受信システム１の第１のメモリ回路部４１、第２のメモリ回路部４２及び第３のメモリ回路部４３のメモリ内容の様子を説明する図である。
【００４２】
図３（ａ）は、第１のメモリ回路部４１のメモリ内容の様子を説明する図である。第１のメモリ回路部４１には、前記「選択データ信号」に基づき選択されているビデオ入力端子Ｎ（Ｎ＝１，２，３）がメモリされている。
【００４３】
図３（ｂ）は、第２のメモリ回路部４２のメモリ内容の様子を説明する図である。第２のメモリ回路部４２には、複数のビデオ入力端子１４ａ（ビデオ入力１），１４ｂ（ビデオ入力２），１４ｃ（ビデオ入力３）それぞれに接続されたビデオ再生装置１１（Ａ社ＶＴＲ），１２（Ｂ社ＶＴＲ），１３（Ｃ社ＶＴＲ）がメモリされている。
【００４４】
図３（ｃ）は、第３のメモリ回路部４３のメモリ内容の様子を説明する図である。第３のメモリ回路部４３には、複数のビデオ再生装置１１（Ａ社ＶＴＲ），１２（Ｂ社ＶＴＲ），１３（Ｃ社ＶＴＲ）それぞれの前記「第２の機能データ信号」がメモリされている。機能としては、例えば、再生、停止、早送り、巻戻し、録画などがある。
【００４５】
また、前記「第２の機能データ信号」は、少なくとも判別コード及びデータコードを含んでいる。前記判別コードは、ビデオ再生装置１１（Ａ社ＶＴＲ）、ビデオ再生装置１２（Ｂ社ＶＴＲ）及びビデオ再生装置１３（Ｃ社ＶＴＲ）を判別するために、例えば、前記Ａ社、Ｂ社及びＣ社それぞれ異なるコードが設定されている。図３（ｃ）では、例えば、ビデオ再生装置１１（Ａ社ＶＴＲ）＝「０１」、ビデオ再生装置１２（Ｂ社ＶＴＲ）＝「１０」及びビデオ再生装置１３（Ｃ社ＶＴＲ）＝「１１」に設定されている。
【００４６】
前記データコードは、例えば、再生、停止、早送り、巻戻し、録画などの機能ごとに設定されたコードである。図３（ｃ）では、例えば、ビデオ再生装置１１（Ａ社ＶＴＲ）＝「ａ＊＊１〜ａ＊＊５」、ビデオ再生装置１２（Ｂ社ＶＴＲ）＝「ｂ＊＊１〜ｂ＊＊５」及びビデオ再生装置１３（Ｃ社ＶＴＲ）＝「ｃ＊＊１〜ｃ＊＊５」に設定されている。
【００４７】
図４は、本実施形態のビデオ無線送受信システム１のデータ変換手段４０の動作を説明するフローチャート図である。データ変換手段４０は、例えばマイクロコンピュータで構成される。図４を用いて、データ変換手段４０がマイクロコンピュータで構成された場合におけるデータ変換手段４０の動作について以下に説明する。
【００４８】
ステップＳ１において、受光回路部３６からリモコン信号が入力されたか否かをチェックする。リモコン信号が入力されるとステップＳ２に移る。
【００４９】
ステップＳ２において、前記リモコン信号が「第１の機能データ信号」であるか否かをチェックする。「第１の機能データ信号」であれば、図３（ａ）の第１のメモリ回路部４１にメモリされている「ビデオ入力Ｎ（Ｎ＝１，２，３）」を読み出した後、ステップＳ３に移る。
【００５０】
ステップＳ３において、「ビデオ入力１（Ｎ＝１）」か否かをチェックする。「ビデオ入力１（Ｎ＝１）」であれば、ステップＳ４に移り、「ビデオ入力１（Ｎ＝１）」でなければ、ステップＳ５に移る。
【００５１】
ステップＳ４において、図３（ｂ）の第２のメモリ回路部４２から、「ビデオ入力端子１４ａ（ビデオ入力１）」に該当する「ビデオ再生装置１１（Ａ社ＶＴＲ）」を読み出す。そして、図３（ｃ）の第３のメモリ回路部４３から前記「第１の機能データ信号」に該当する機能の「ビデオ再生装置１１（Ａ社ＶＴＲ）」の「第２の機能データ信号」を読み出す。例えば、前記「第１の機能データ信号」に該当する機能が「再生」であれば、前記「第２の機能データ信号」として、「０１ａ＊＊１」を読み出す。そして、読み出した後、ステップＳ９に移る。
【００５２】
ステップＳ５において、「ビデオ入力２（Ｎ＝２）」か否かをチェックする。「ビデオ入力２（Ｎ＝２）」であれば、ステップＳ６に移り、「ビデオ入力２（Ｎ＝２）」でなければ、ステップＳ７に移る。
【００５３】
ステップＳ６において、図３（ｂ）の第２のメモリ回路部４２から、「ビデオ入力端子１４ｂ（ビデオ入力２）」に該当する「ビデオ再生装置１２（Ｂ社ＶＴＲ）」を読み出す。そして、図３（ｃ）の第３のメモリ回路部４３から前記「第１の機能データ信号」に該当する機能の「ビデオ再生装置１２（Ｂ社ＶＴＲ）」の「第２の機能データ信号」を読み出す。例えば、前記「第１の機能データ信号」に該当する機能が「停止」であれば、前記「第２の機能データ信号」として、「１０ｂ＊＊２」を読み出す。そして、読み出した後、ステップＳ９に移る。
【００５４】
ステップＳ７において、「ビデオ入力３（Ｎ＝３）」か否かをチェックする。「ビデオ入力３（Ｎ＝３）」であれば、ステップＳ８に移る。
【００５５】
ステップＳ８において、図３（ｂ）の第２のメモリ回路部４２から、「ビデオ入力端子１４ｃ（ビデオ入力３）」に該当する「ビデオ再生装置１３（Ｃ社ＶＴＲ）」を読み出す。そして、図３（ｃ）の第３のメモリ回路部４３から前記「第１の機能データ信号」に該当する機能の「ビデオ再生装置１３（Ｃ社ＶＴＲ）」の「第２の機能データ信号」を読み出す。例えば、前記「第１の機能データ信号」に該当する機能が「早送り」であれば、前記「第２の機能データ信号」として、「１１ｃ＊＊３」を読み出す。そして、読み出した後、ステップＳ９に移る。
【００５６】
ステップＳ９において、ステップＳ４，Ｓ６，Ｓ８で読み出した「第２の機能データ信号」をリモコン送信回路部３７へ出力する。
【００５７】
上述のように、データ変換手段４０は、前記「第１の機能データ信号」が入力された場合に、第１のメモリ回路部４１及び第２のメモリ回路部４２から選択されているビデオ再生装置を読み出し、このビデオ再生装置の前記「第１の機能データ信号」に基づく機能に該当する「第２の機能データ信号」を第３のメモリ回路部４３より読み出して出力する。
【００５８】
図５は、本実施形態のビデオ無線送受信システム１のビデオ入力設定手段４４の動作を説明するフローチャート図である。ビデオ入力設定手段４４は、例えばマイクロコンピュータで構成される。図５を用いて、ビデオ入力設定手段４４がマイクロコンピュータで構成された場合におけるビデオ入力設定手段４４の動作について以下に説明する。
【００５９】
ステップＳ１において、受光回路部３６からリモコン信号が入力されたか否かをチェックする。リモコン信号が入力されるとステップＳ２に移る。
【００６０】
ステップＳ２において、タイマをリセット（ｔ←０）し、ステップＳ３に移る。
【００６１】
ステップＳ３において、ステップＳ１でのリモコン信号が、「選択データ信号」であるか、すなわち、赤外線リモコン送信機３５のビデオ入力選択キー３５ａが押されているか否かをチェックする。ビデオ入力選択キー３５ａが押されていれば、タイマをインクリメント（ｔ←ｔ＋１）し、タイマが規定時間Ｔを計時した（ｔ≧Ｔ）か否かをチェックする。タイマが規定時間Ｔを計時した（ｔ≧Ｔ）ならば、ステップＳ４に移り、タイマが規定時間Ｔを計時していない（ｔ＜Ｔ）ならば、ステップＳ３に戻る。
【００６２】
前記ステップＳ３が、メモリ書替設定手段に該当する。このメモリ書替設定手段は、規定時間Ｔを計時する前記タイマを備え、ビデオ無線送受信システム１の赤外線リモコン送信機３５のビデオ入力選択キー３５ａを規定時間Ｔ押し続けることにより第２のメモリ回路部４２は書き替えできる状態に設定され、ビデオ入力選択キー３５ａを規定時間Ｔ押し続ける操作により、ビデオ入力端子１４ａ，１４ｂ，１４ｃの選択と第２のメモリ回路部４２のメモリ書き替えの設定を行えるようにしている。
【００６３】
ステップＳ４において、「ビデオ入力端子１４ａ（ビデオ入力１）」が選択されたか否かをチェックする。「ビデオ入力端子１４ａ（ビデオ入力１）」が選択されたのであれば、レジスタＮを１に設定（Ｎ←１）後、ステップＳ７に移る。「ビデオ入力端子１４ａ（ビデオ入力１）」が選択されていなければ、ステップＳ５に移る。
【００６４】
ステップＳ５において、「ビデオ入力端子１４ｂ（ビデオ入力２）」が選択されたか否かをチェックする。「ビデオ入力端子１４ｂ（ビデオ入力２）」が選択されたのであれば、レジスタＮを２に設定（Ｎ←２）後、ステップＳ７に移る。「ビデオ入力端子１４ｂ（ビデオ入力２）」が選択されていなければ、ステップＳ６に移る。
【００６５】
ステップＳ６において、「ビデオ入力端子１４ｃ（ビデオ入力３）」が選択されたか否かをチェックする。「ビデオ入力端子１４ｃ（ビデオ入力３）」が選択されたのであれば、レジスタＮを３に設定（Ｎ←３）後、ステップＳ７に移る。
【００６６】
ステップＳ７において、第１のメモリ回路部４１に、ビデオ入力Ｎ（Ｎ＝１，２，３）をメモリした後、ステップＳ８に移る。
【００６７】
ステップＳ８において、受光回路部３６からビデオ再生装置１１，１２，１３それぞれの図示しない赤外線リモコン送信機のリモコン信号である「第２の機能データ信号」が入力されたか否かをチェックする。前記「第２の機能データ信号」が入力されるとステップＳ９に移る。
【００６８】
ステップＳ９において、前記「第２の機能データ信号」の判別コードが「０１」＝ビデオ再生装置１１（Ａ社ＶＴＲ）であるか否かをチェックする。判別コードが「０１」であれば、ステップＳ１０に移り、判別コードが「０１」でなければ、ステップＳ１１に移る。
【００６９】
ステップＳ１０において、第２のメモリ回路部４２に「ビデオ入力Ｎ＝ビデオ再生装置１１（Ａ社ＶＴＲ）」を入力する。
【００７０】
ステップＳ１１において、前記「第２の機能データ信号」の判別コードが「１０」＝ビデオ再生装置１２（Ｂ社ＶＴＲ）であるか否かをチェックする。判別コードが「１０」であれば、ステップＳ１２に移り、判別コードが「１０」でなければ、ステップＳ１３に移る。
【００７１】
ステップＳ１２において、第２のメモリ回路部４２に「ビデオ入力Ｎ＝ビデオ再生装置１２（Ｂ社ＶＴＲ）」を入力する。
【００７２】
ステップＳ１３において、前記「第２の機能データ信号」の判別コードが「１１」＝ビデオ再生装置１３（Ｃ社ＶＴＲ）であるか否かをチェックする。判別コードが「１１」であれば、ステップＳ１４に移る。
【００７３】
ステップＳ１４において、第２のメモリ回路部４２に「ビデオ入力Ｎ＝ビデオ再生装置１３（Ｃ社ＶＴＲ）」を入力する。
【００７４】
前記ステップＳ９，Ｓ１１，Ｓ１３が、前記ビデオ再生装置１１，１２，１３それぞれの図示しない赤外線リモコン送信機のリモコン信号からビデオ再生装置１１，１２，１３を判別する装置判別手段に該当する。
【００７５】
上述のように、ビデオ入力設定手段４４は、前記ビデオ再生装置１１，１２，１３それぞれの図示しないの赤外線リモコン送信機のリモコン信号からビデオ再生装置１１，１２，１３を判別する装置判別手段と、第２のメモリ回路部４２を書き替えできる状態に設定するメモリ書替設定手段とを備え、前記メモリ書替設定手段により第２のメモリ回路部４２を書き替えできる状態に設定された場合に、ビデオ無線送受信システム１の赤外線リモコン送信機３５のビデオ入力選択キー３５ａによりビデオ入力端子１４ａ，１４ｂ，１４ｃを選択し、このビデオ入力端子に対して前記装置判別手段により判別したビデオ再生装置を入力する。
【００７６】
［第２の実施の形態］
図６は、本発明の第２の実施の形態に係わるビデオ無線送受信システムの概略的構成を示すブロック回路図である。図１で説明した本発明の第１の実施の形態に係わるビデオ無線送受信システム１の概略的構成を示すブロック回路図と比較して、図１のビデオ無線送受信システム１のビデオ受信機３０に備えられていたデータ変換手段４０、第１のメモリ回路部４１、第２のメモリ回路部４２、第３のメモリ回路部４３及びビデオ入力設定手段４４が、図６のビデオ無線送受信システム２では、ビデオ送信機１０にデータ変換手段２０、第１のメモリ回路部２１、第２のメモリ回路部２２、第３のメモリ回路部２３及びビデオ入力設定手段２４として備えられている点が異なる。
【００７７】
したがって、図６のビデオ無線送受信システム２において、リモコン送信機３５の外観図は図２と同じであり、第１のメモリ回路部２１、第２のメモリ回路部２２及び第３のメモリ回路部２３のメモリ内容の様子を説明する図は図３と同じであり、データ変換手段２０の動作を説明するフローチャート図は図４と同じであり、ビデオ入力設定手段２４の動作を説明するフローチャート図は図５と同じである。  以下、本発明の第２の実施の形態について、図６と図２から図５を参照して説明する。
【００７８】
図６は、本実施形態のビデオ無線送受信システム２の概略的構成を示すブロック回路図である。図６の本実施形態のビデオ無線送受信システム２は、以下の回路構成からなる。ビデオ無線送受信システム２は、ビデオ送信機１０とビデオ受信機３０とからなる。
【００７９】
ビデオ送信機１０は、ビデオ再生装置１１，１２，１３、ビデオ入力切替回路部１４、ビデオ送信回路部１５、アンテナ１６、リモコン受信回路部１７、発光回路部１８、データ変換手段２０、第１のメモリ回路部２１、第２のメモリ回路部２２、第３のメモリ回路部２３及びビデオ入力設定手段２４からなる。そして、ビデオ入力切替回路部１４は、ビデオ入力端子１４ａ，１４ｂ，１４ｃを有している。
【００８０】
ビデオ再生装置１１，１２，１３は、ビデオ入力切替回路部１４のビデオ入力端子１４ａ，１４ｂ，１４ｃにそれぞれ接続され、ビデオ入力切替回路部１４の出力は、ビデオ送信回路部１５の入力に接続され、ビデオ送信回路部１５の出力はアンテナ１６に接続されている。また、アンテナ１６は、リモコン受信回路部１７の入力に接続され、リモコン受信回路部１７の出力はデータ変換手段２０及びビデオ入力設定手段２４の入力に接続され、データ変換手段２０の出力は発光回路部１８に接続されている。
【００８１】
また、データ変換手段２０には、第１のメモリ回路部２１、第２のメモリ回路部２２及び第３のメモリ回路部２３が接続され、第１のメモリ回路部２１及び第２のメモリ回路部２２にはビデオ入力設定手段２４が接続されている。
【００８２】
ビデオ受信機３０は、アンテナ３１、ビデオ受信回路部３２、音声回路部３３、表示回路部３４、赤外線リモコン送信機３５、受光回路部３６及びリモコン送信回路部３７からなる。
【００８３】
アンテナ３１はビデオ受信回路部３２の入力に接続され、ビデオ受信回路部３２の出力は音声回路部３３及び表示回路部３４に接続されている。受光回路部３６は、リモコン送信回路部３７の入力に接続され、リモコン送信回路部３７の出力はアンテナ３１に接続されている。
【００８４】
次に、図６の本実施形態のビデオ無線送受信システム２の動作について説明する。ビデオ送信機１０において、ビデオ入力切替回路部１４を切り替えることにより、ビデオ再生装置１１，１２，１３のうち１つを選択する。図６では、例えば、ビデオ再生装置１２が選択されている。ビデオ信号発生装置１２から出力されたビデオ信号は、ビデオ送信回路部１５により高周波ビデオ信号に変換されて、アンテナ１６からビデオ受信機３０へ送信される。
【００８５】
ビデオ受信機３０において、ビデオ送信機１０から送信された高周波ビデオ信号をアンテナ３１で受信する。受信した高周波ビデオ信号はビデオ受信回路部３２により映像信号及び音声信号に変換され、前記映像信号は表示回路部３４により画像表示され、前記音声信号は音声回路部３３により音声に変換される。ここで、表示回路部３４及び音声回路部３３は、テレビジョン３８であってもよい。
【００８６】
また、ビデオ受信機３０において、赤外線リモコン送信機３５は、複数のビデオ再生装置１１，１２，１３のうち１つを選択する「選択データ信号」と、複数のビデオ再生装置１１，１２，１３を共通に操作する「第１の機能データ信号」を赤外線信号ＩＲとして発生する。
【００８７】
そして、赤外線リモコン送信機３５からの赤外線信号ＩＲは、受光回路部３６により電気信号であるリモコン信号、すなわち、「選択データ信号」及び「第１の機能データ信号」に変換され、さらに、リモコン送信回路部３７により高周波リモコン信号に変換され、アンテナ３１よりビデオ送信機１０に送信される。
【００８８】
ビデオ送信機１０において、アンテナ１６から受信した高周波リモコン信号は、リモコン受信回路部１７によりもとのリモコン信号に変換され、このリモコン信号は、データ変換手段２０に入力される。
【００８９】
データ変換手段２０は、前記「選択データ信号」に基づき、前記「第１の機能データ信号」を前記選択されたビデオ再生装置を操作するための「第２の機能データ信号」に変換する。この「第２の機能データ信号」は、発光回路部１８により電気信号から赤外線信号ＩＲに変換され、この赤外線信号ＩＲは、ビデオ再生装置１１，１２，１３それぞれの図示しないリモコン受光部に入力される。
【００９０】
また、第１のメモリ回路部２１には、前記「選択データ信号」に基づき選択されているビデオ入力端子がメモリされており、第２のメモリ回路部２２には、複数のビデオ入力端子１４ａ，１４ｂ，１４ｃそれぞれに接続されたビデオ再生装置１１，１２，１３がメモリされており、第３のメモリ回路部２３には、複数のビデオ再生装置１１，１２，１３それぞれの前記「第２の機能データ信号」がメモリされている。
【００９１】
また、ビデオ入力設定手段２４は、前記「選択データ信号」に基づき選択されているビデオ入力端子を第１のメモリ回路部２１に入力するとともに、複数のビデオ入力端子１４ａ，１４ｂ，１４ｃそれぞれに接続されたビデオ再生装置１１，１２，１３を第２のメモリ回路部２２に入力する。
【００９２】
上述のように、赤外線リモコン送信機３５からの赤外線信号ＩＲは、受光回路部３６→リモコン送信回路部３７→アンテナ３１→アンテナ１６→リモコン受信回路部１７→データ変換手段２０→発光回路部１８→ビデオ再生装置１１，１２，１３それぞれの図示しないリモコン受光部の経路で伝達され、データ変換手段２０を備え、複数のビデオ再生装置１１，１２，１３を共通に操作する「第１の機能データ信号」を前記選択されたビデオ再生装置を操作するための「第２の機能データ信号」に変換することにより、１つの赤外線リモコン送信機３５を用いて離れた場所に設置された複数のビデオ再生装置１１，１２，１３を制御することができる。
【００９３】
赤外線リモコン送信機３５の外観図を示す図２と、第１のメモリ回路部２１、第２のメモリ回路部２２及び第３のメモリ回路部２３のメモリ内容の様子を説明する図３とは、［第１の実施の形態］での説明と同じであり重複するため、その説明は省略する。
【００９４】
次に、図４を用いて、データ変換手段２０がマイクロコンピュータで構成された場合におけるデータ変換手段２０の動作について以下に説明する。
【００９５】
ステップＳ１において、リモコン受信回路部１７からリモコン信号が入力されたか否かをチェックする。リモコン信号が入力されるとステップＳ２に移る。
【００９６】
ステップＳ２において、前記リモコン信号が「第１の機能データ信号」であるか否かをチェックする。「第１の機能データ信号」であれば、図３（ａ）の第１のメモリ回路部２１にメモリされている「ビデオ入力Ｎ（Ｎ＝１，２，３）」を読み出した後、ステップＳ３に移る。
【００９７】
ステップＳ３において、「ビデオ入力１（Ｎ＝１）」か否かをチェックする。「ビデオ入力１（Ｎ＝１）」であれば、ステップＳ４に移り、「ビデオ入力１（Ｎ＝１）」でなければ、ステップＳ５に移る。
【００９８】
ステップＳ４において、図３（ｂ）の第２のメモリ回路部２２から、「ビデオ入力端子１４ａ（ビデオ入力１）」に該当する「ビデオ再生装置１１（Ａ社ＶＴＲ）」を読み出す。そして、図３（ｃ）の第３のメモリ回路部２３から前記「第１の機能データ信号」に該当する機能の「ビデオ再生装置１１（Ａ社ＶＴＲ）」の「第２の機能データ信号」を読み出す。例えば、前記「第１の機能データ信号」に該当する機能が「再生」であれば、前記「第２の機能データ信号」として、「０１ａ＊＊１」を読み出す。そして、読み出した後、ステップＳ９に移る。
【００９９】
ステップＳ５において、「ビデオ入力２（Ｎ＝２）」か否かをチェックする。「ビデオ入力２（Ｎ＝２）」であれば、ステップＳ６に移り、「ビデオ入力２（Ｎ＝２）」でなければ、ステップＳ７に移る。
【０１００】
ステップＳ６において、図３（ｂ）の第２のメモリ回路部２２から、「ビデオ入力端子１４ｂ（ビデオ入力２）」に該当する「ビデオ再生装置１２（Ｂ社ＶＴＲ）」を読み出す。そして、図３（ｃ）の第３のメモリ回路部２３から前記「第１の機能データ信号」に該当する機能の「ビデオ再生装置１２（Ｂ社ＶＴＲ）」の「第２の機能データ信号」を読み出す。例えば、前記「第１の機能データ信号」に該当する機能が「停止」であれば、前記「第２の機能データ信号」として、「１０ｂ＊＊２」を読み出す。そして、読み出した後、ステップＳ９に移る。
【０１０１】
ステップＳ７において、「ビデオ入力３（Ｎ＝３）」か否かをチェックする。「ビデオ入力３（Ｎ＝３）」であれば、ステップＳ８に移る。
【０１０２】
ステップＳ８において、図３（ｂ）の第２のメモリ回路部２２から、「ビデオ入力端子１４ｃ（ビデオ入力３）」に該当する「ビデオ再生装置１３（Ｃ社ＶＴＲ）」を読み出す。そして、図３（ｃ）の第３のメモリ回路部２３から前記「第１の機能データ信号」に該当する機能の「ビデオ再生装置１３（Ｃ社ＶＴＲ）」の「第２の機能データ信号」を読み出す。例えば、前記「第１の機能データ信号」に該当する機能が「早送り」であれば、前記「第２の機能データ信号」として、「１１ｃ＊＊３」を読み出す。そして、読み出した後、ステップＳ９に移る。
【０１０３】
ステップＳ９において、ステップＳ４，Ｓ６，Ｓ８で読み出した「第２の機能データ信号」を発光回路部１８へ出力する。
【０１０４】
上述のように、データ変換手段２０は、前記「第１の機能データ信号」が入力された場合に、第１のメモリ回路部２１及び第２のメモリ回路部２２から選択されているビデオ再生装置を読み出し、このビデオ再生装置の前記「第１の機能データ信号」に基づく機能に該当する「第２の機能データ信号」を第３のメモリ回路部２３より読み出して出力する。
【０１０５】
次に、図５を用いて、ビデオ入力設定手段２４がマイクロコンピュータで構成された場合におけるビデオ入力設定手段２４の動作について以下に説明する。
【０１０６】
ステップＳ１において、リモコン受信回路部１７からリモコン信号が入力されたか否かをチェックする。リモコン信号が入力されるとステップＳ２に移る。
【０１０７】
ステップＳ２において、タイマをリセット（ｔ←０）し、ステップＳ３に移る。
【０１０８】
ステップＳ３において、ステップＳ１でのリモコン信号が、「選択データ信号」であるか、すなわち、赤外線リモコン送信機３５のビデオ入力選択キー３５ａが押されているか否かをチェックする。ビデオ入力選択キー３５ａが押されていれば、タイマをインクリメント（ｔ←ｔ＋１）し、タイマが規定時間Ｔを計時した（ｔ≧Ｔ）か否かをチェックする。タイマが規定時間Ｔを計時した（ｔ≧Ｔ）ならば、ステップＳ４に移り、タイマが規定時間Ｔを計時していない（ｔ＜Ｔ）ならば、ステップＳ３に戻る。
【０１０９】
前記ステップＳ３が、メモリ書替設定手段に該当する。このメモリ書替設定手段は、規定時間Ｔを計時する前記タイマを備え、ビデオ無線送受信システム２の赤外線リモコン送信機３５のビデオ入力選択キー３５ａを規定時間Ｔ押し続けることにより第２のメモリ回路部２２は書き替えできる状態に設定され、ビデオ入力選択キー３５ａを規定時間Ｔ押し続ける操作により、ビデオ入力端子１４ａ，１４ｂ，１４ｃの選択と第２のメモリ回路部２２のメモリ書き替えの設定を行えるようにしている。
【０１１０】
ステップＳ４において、「ビデオ入力端子１４ａ（ビデオ入力１）」が選択されたか否かをチェックする。「ビデオ入力端子１４ａ（ビデオ入力１）」が選択されたのであれば、レジスタＮを１に設定（Ｎ←１）後、ステップＳ７に移る。「ビデオ入力端子１４ａ（ビデオ入力１）」が選択されていなければ、ステップＳ５に移る。
【０１１１】
ステップＳ５において、「ビデオ入力端子１４ｂ（ビデオ入力２）」が選択されたか否かをチェックする。「ビデオ入力端子１４ｂ（ビデオ入力２）」が選択されたのであれば、レジスタＮを２に設定（Ｎ←２）後、ステップＳ７に移る。「ビデオ入力端子１４ｂ（ビデオ入力２）」が選択されていなければ、ステップＳ６に移る。
【０１１２】
ステップＳ６において、「ビデオ入力端子１４ｃ（ビデオ入力３）」が選択されたか否かをチェックする。「ビデオ入力端子１４ｃ（ビデオ入力３）」が選択されたのであれば、レジスタＮを３に設定（Ｎ←３）後、ステップＳ７に移る。
【０１１３】
ステップＳ７において、第１のメモリ回路部２１に、ビデオ入力Ｎ（Ｎ＝１，２，３）をメモリした後、ステップＳ８に移る。
【０１１４】
ステップＳ８において、リモコン受信回路部１７からビデオ再生装置１１，１２，１３それぞれの図示しない赤外線リモコン送信機のリモコン信号である「第２の機能データ信号」が入力されたか否かをチェックする。前記「第２の機能データ信号」が入力されるとステップＳ９に移る。
【０１１５】
ステップＳ９において、前記「第２の機能データ信号」の判別コードが「０１」＝ビデオ再生装置１１（Ａ社ＶＴＲ）であるか否かをチェックする。判別コードが「０１」であれば、ステップＳ１０に移り、判別コードが「０１」でなければ、ステップＳ１１に移る。
【０１１６】
ステップＳ１０において、第２のメモリ回路部２２に「ビデオ入力Ｎ＝ビデオ再生装置１１（Ａ社ＶＴＲ）」を入力する。
【０１１７】
ステップＳ１１において、前記「第２の機能データ信号」の判別コードが「１０」＝ビデオ再生装置１２（Ｂ社ＶＴＲ）であるか否かをチェックする。判別コードが「１０」であれば、ステップＳ１２に移り、判別コードが「１０」でなければ、ステップＳ１３に移る。
【０１１８】
ステップＳ１２において、第２のメモリ回路部２２に「ビデオ入力Ｎ＝ビデオ再生装置１２（Ｂ社ＶＴＲ）」を入力する。
【０１１９】
ステップＳ１３において、前記「第２の機能データ信号」の判別コードが「１１」＝ビデオ再生装置１３（Ｃ社ＶＴＲ）であるか否かをチェックする。判別コードが「１１」であれば、ステップＳ１４に移る。
【０１２０】
ステップＳ１４において、第２のメモリ回路部２２に「ビデオ入力Ｎ＝ビデオ再生装置１３（Ｃ社ＶＴＲ）」を入力する。
【０１２１】
前記ステップＳ９，Ｓ１１，Ｓ１３が、前記ビデオ再生装置１１，１２，１３それぞれの図示しない赤外線リモコン送信機のリモコン信号からビデオ再生装置１１，１２，１３を判別する装置判別手段に該当する。
【０１２２】
上述のように、ビデオ入力設定手段２４は、前記ビデオ再生装置１１，１２，１３それぞれの図示しないの赤外線リモコン送信機のリモコン信号からビデオ再生装置１１，１２，１３を判別する装置判別手段と、第２のメモリ回路部２２を書き替えできる状態に設定するメモリ書替設定手段とを備え、前記メモリ書替設定手段により第２のメモリ回路部２２を書き替えできる状態に設定された場合に、ビデオ無線送受信システム２の赤外線リモコン送信機３５のビデオ入力選択キー３５ａによりビデオ入力端子１４ａ，１４ｂ，１４ｃを選択し、このビデオ入力端子に対して前記装置判別手段により判別したビデオ再生装置を入力する。
【０１２３】
以上、第１及び第２の実施の形態において、ビデオ送信機１０のビデオ再生装置１１，１２，１３を、ＶＴＲを例にして説明したが、ＶＴＲに限らず、ビデオを再生できる装置であればよい。また、ビデオ受信機３０の音声回路部３３及び表示回路部３４をテレビジョン３８に置換えてもよい。前記のように置きかえることで、ビデオ再生装置の映像と音声を、離れた場所に設置されたテレビジョンで視聴することができる。
【０１２４】
また、ビデオ再生装置１１，１２，１３の３台の場合を例にしたが、３台に限定することなく、２台以上であればよい。
【０１２５】
【発明の効果】
以上のように、本発明は、複数の異なるビデオ再生装置と、これら複数のビデオ再生装置のうちの１つを選択するビデオ入力切替回路部と、前記選択されたビデオ再生装置からのビデオ信号を高周波ビデオ信号に変換して送信するビデオ送信回路部と、受信した高周波リモコン信号をもとのリモコン信号に変換するリモコン受信回路部と、このリモコン信号を電気信号から赤外線信号に変換する発光回路部とを備えたビデオ送信機と、
前記高周波ビデオ信号を受信して映像信号及び音声信号に変換するビデオ受信回路部と、前記映像信号を画像表示する表示回路部と、前記音声信号を音声に変換する音声回路部と、赤外線リモコン送信機と、この赤外線リモコン送信機からの赤外線信号を電気信号であるリモコン信号に変換する受光回路部と、前記リモコン信号を高周波リモコン信号に変換して送信するリモコン送信回路部とを備えたビデオ受信機とからなるビデオ無線送受信システムにおいて、
前記ビデオ無線送受信システムの赤外線リモコン送信機は、前記ビデオ再生装置のうち１つを選択する選択データ信号を発生するためのビデオ入力選択キーと、前記複数の異なるビデオ再生装置を共通に操作する第１の機能データ信号を発生するための共通機能キーとを備え、
前記ビデオ受信機は、前記選択データ信号に基づき、前記第１の機能データ信号を前記選択されたビデオ再生装置を操作するための第２の機能データ信号に変換するデータ変換手段を備えたことを特徴とするものである。
【０１２６】
したがって、本発明によれば、前記ビデオ送信機に何ら手を加えることなく、前記ビデオ受信機側から、前記ビデオ送信機側の前記複数の異なるビデオ再生装置を１つの共通のリモコン送信機にて操作することができる。すなわち、例えば、前記複数のビデオ再生装置それぞれのメーカーが異なる場合に、それらのビデオ再生装置を操作するためには、それぞれのビデオ再生装置専用の赤外線リモコン送信機を必要とし、操作するビデオ再生装置が替わるたびに、前記赤外線リモコン送信機を交換しながら操作しなけらばならない不便が解消できる。
【０１２７】
また、本発明は、前記ビデオ入力切替回路部が、前記複数のビデオ再生装置を接続するための複数のビデオ入力端子を有し、前記ビデオ受信機は、前記選択データ信号に基づき選択されているビデオ入力端子がメモリされた第１のメモリ回路部と、前記複数のビデオ入力端子それぞれに接続されたビデオ再生装置がメモリされた第２のメモリ回路部と、前記複数のビデオ再生装置それぞれの前記第２の機能データ信号がメモリされた第３のメモリ回路部とを備え、
前記データ変換手段は、前記第１の機能データ信号が入力された場合に、前記第１及び第２のメモリ回路部から選択されているビデオ再生装置を読み出し、このビデオ再生装置の前記第１の機能データ信号に基づく機能に該当する第２の機能データ信号を前記第３のメモリ回路部より読み出して出力することを特徴とするものである。
【０１２８】
したがって、本発明によれば、前記ビデオ送信機に何ら手を加えることなく、前記ビデオ受信機に、第１、第２及び第３のメモリ回路部を備えることにより、前記ビデオ送信機のビデオ入力切替回路部を切り替えることにより、前記複数のビデオ再生装置のうちの１つを選択する場合に、使用者は、ビデオ入力切替回路部のそれぞれの入力に接続されているビデオ再生装置を覚えておかなければならないという煩わしさが解消できる。
【０１２９】
また、本発明は、前記ビデオ受信機が、前記選択データ信号に基づき選択されているビデオ入力端子を前記第１のメモリ回路部に入力するとともに、前記複数のビデオ入力端子それぞれに接続されたビデオ再生装置を前記第２のメモリ回路部に入力するビデオ入力設定手段を備えたことを特徴とするものである。
【０１３０】
したがって、本発明によれば、前記ビデオ送信機に何ら手を加えることなく、前記ビデオ受信機に、前記ビデオ入力設定手段を備えることにより、使用者は、ビデオ入力切替回路部のそれぞれの入力に接続されているビデオ再生装置の接続を変更した場合に、その都度変更した接続を覚え直さないといけないという煩わしさが解消できる。
【０１３１】
また、本発明は、複数の異なるビデオ再生装置と、これら複数のビデオ再生装置のうちの１つを選択するビデオ入力切替回路部と、前記選択されたビデオ再生装置からのビデオ信号を高周波ビデオ信号に変換して送信するビデオ送信回路部と、受信した高周波リモコン信号をもとのリモコン信号に変換するリモコン受信回路部と、このリモコン信号を電気信号から赤外線信号に変換する発光回路部とを備えたビデオ送信機と、
前記高周波ビデオ信号を受信して映像信号及び音声信号に変換するビデオ受信回路部と、前記映像信号を画像表示する表示回路部と、前記音声信号を音声に変換する音声回路部と、赤外線リモコン送信機と、この赤外線リモコン送信機からの赤外線信号を電気信号であるリモコン信号に変換する受光回路部と、前記リモコン信号を高周波リモコン信号に変換して送信するリモコン送信回路部とを備えたビデオ受信機とからなるビデオ無線送受信システムにおいて、
前記ビデオ無線送受信システムの赤外線リモコン送信機は、前記ビデオ再生装置のうち１つを選択する選択データ信号を発生するためのビデオ入力選択キーと、前記複数の異なるビデオ再生装置を共通に操作する第１の機能データ信号を発生するための共通機能キーとを備え、
前記ビデオ送信機は、前記選択データ信号に基づき、前記第１の機能データ信号を前記選択されたビデオ再生装置を操作するための第２の機能データ信号に変換するデータ変換手段を備えたことを特徴とするものである。
【０１３２】
したがって、本発明によれば、前記ビデオ受信機に何ら手を加えることなく、前記ビデオ受信機側から、前記ビデオ送信機側の前記複数の異なるビデオ再生装置を１つの共通のリモコン送信機にて操作することができる。すなわち、例えば、前記複数のビデオ再生装置それぞれのメーカーが異なる場合に、それらのビデオ再生装置を操作するためには、それぞれのビデオ再生装置専用の赤外線リモコン送信機を必要とし、操作するビデオ再生装置が替わるたびに、前記赤外線リモコン送信機を交換しながら操作しなけらばならない不便が解消できる。
【０１３３】
また、本発明は、前記ビデオ入力切替回路部が、前記複数のビデオ再生装置を接続するための複数のビデオ入力端子を有し、前記ビデオ送信機は、前記選択データ信号に基づき選択されているビデオ入力端子がメモリされた第１のメモリ回路部と、前記複数のビデオ入力端子それぞれに接続されたビデオ再生装置がメモリされた第２のメモリ回路部と、前記複数のビデオ再生装置それぞれの前記第２の機能データ信号がメモリされた第３のメモリ回路部とを備え、
前記データ変換手段は、前記第１の機能データ信号が入力された場合に、前記第１及び第２のメモリ回路部から選択されているビデオ再生装置を読み出し、このビデオ再生装置の前記第１の機能データ信号に基づく機能に該当する第２の機能データ信号を前記第３のメモリ回路部より読み出して出力することを特徴とするものである。
【０１３４】
したがって、本発明によれば、前記ビデオ受信機に何ら手を加えることなく、前記ビデオ送信機に、第１、第２及び第３のメモリ回路部を備えることにより、前記ビデオ送信機のビデオ入力切替回路部を切り替えることにより、前記複数のビデオ再生装置のうちの１つを選択する場合に、使用者は、ビデオ入力切替回路部のそれぞれの入力に接続されているビデオ再生装置を覚えておかなければならないという煩わしさが解消できる。
【０１３５】
また、本発明は、前記ビデオ送信機が、前記選択データ信号に基づき選択されているビデオ入力端子を前記第１のメモリ回路部に入力するとともに、前記複数のビデオ入力端子それぞれに接続されたビデオ再生装置を前記第２のメモリ回路部に入力するビデオ入力設定手段を備えたことを特徴とするものである。
【０１３６】
したがって、本発明によれば、前記ビデオ受信機に何ら手を加えることなく、前記ビデオ送信機に、前記ビデオ入力設定手段を備えることにより、使用者は、ビデオ入力切替回路部のそれぞれの入力に接続されているビデオ再生装置の接続を変更した場合に、その都度変更した接続を覚え直さないといけないという煩わしさが解消できる。
【０１３７】
また、本発明は、前記ビデオ入力設定手段が、前記ビデオ再生装置の赤外線リモコン送信機のリモコン信号からビデオ再生装置を判別する装置判別手段と、前記第２のメモリ回路部を書き替えできる状態に設定するメモリ書替設定手段とを備え、前記メモリ書替設定手段により前記第２のメモリ回路部を書き替えできる状態に設定された場合に、前記ビデオ無線送受信システムの赤外線リモコン送信機のビデオ入力選択キーによりビデオ入力端子を選択し、このビデオ入力端子に対して前記装置判別手段により判別したビデオ再生装置を入力することを特徴とするものである。
【０１３８】
したがって、本発明によれば、使用者は、ビデオ入力切替回路部のそれぞれの入力に接続されているビデオ再生装置の接続を変更した場合に、特別な装置を必要としないで、前記ビデオ再生装置の赤外線リモコン送信機と前記ビデオ無線送受信システムの赤外線リモコン送信機とを使用して、前記第２のメモリ回路部の内容を書き替えることができる。
【０１３９】
また、本発明は、前記メモリ書替設定手段が、規定時間を計時するタイマを備え、前記ビデオ無線送受信システムの赤外線リモコン送信機のビデオ入力選択キーを前記規定時間押し続けることにより前記第２のメモリ回路部は書き替えできる状態に設定され、ビデオ入力選択キーを前記規定時間押し続ける操作により、前記ビデオ入力端子の選択と前記メモリ書き替えの設定を行えるようにしたことを特徴とするものである。
【０１４０】
したがって、本発明によれば、使用者は、ビデオ入力切替回路部のそれぞれの入力に接続されているビデオ再生装置の接続を変更した場合に、特別な装置を必要としないで、前記ビデオ再生装置の赤外線リモコン送信機と前記ビデオ無線送受信システムの赤外線リモコン送信機とを使用して、前記第２のメモリ回路部の内容を書き替えることができる。
【０１４１】
さらに、前記ビデオ再生装置の赤外線リモコン送信機と前記ビデオ無線送受信システムの赤外線リモコン送信機に、前記第２のメモリ回路部の内容を書き替えるための専用操作キーを設ける必要がない。すなわち、前記ビデオ再生装置の赤外線リモコン送信機と前記ビデオ無線送受信システムの赤外線リモコン送信機に何ら手を加えることなく、前記第２のメモリ回路部の内容を書き替え操作ができる。
【０１４２】
また、本発明は、前記ビデオ受信機の表示回路部及び音声回路部が、テレビジョンであり、前記ビデオ無線送受信システムの赤外線リモコン送信機は、前記テレビジョンを操作する赤外線リモコン送信機であることを特徴とするものである。
【０１４３】
したがって、本発明によれば、前記ビデオ受信機側から、前記ビデオ送信機側の前記複数の異なるビデオ再生装置を１つの前記テレビジョンを操作する赤外線リモコン送信機にて操作することができる。すなわち、例えば、前記複数のビデオ再生装置それぞれのメーカーが異なる場合に、それらのビデオ再生装置を操作するためには、それぞれのビデオ再生装置専用の赤外線リモコン送信機を必要とし、操作するビデオ再生装置が替わるたびに、前記赤外線リモコン送信機を交換しながら操作しなけらばならない不便が解消できる。
【図面の簡単な説明】
【図１】本発明の第１の実施の形態に係わるビデオ無線送受信システムの概略的構成を示すブロック回路図である。
【図２】本発明の第１の実施の形態に係わるビデオ無線送受信システムの赤外線リモコン送信機の外観図である。
【図３】本発明の第１の実施の形態に係わるビデオ無線送受信システムの第１、第２、第３のメモリ回路部のメモリ内容の様子を説明する図である。
【図４】本発明の第１の実施の形態に係わるビデオ無線送受信システムのデータ変換手段の動作を説明するフローチャート図である。
【図５】本発明の第１の実施の形態に係わるビデオ無線送受信システムのビデオ入力設定手段の動作を説明するフローチャート図である。
【図６】本発明の第２の実施の形態に係わるビデオ無線送受信システムの概略的構成を示すブロック回路図である。
【図７】従来のビデオ無線送受信システムの概略的構成を示すブロック回路図である。
【符号の説明】
１，２  ビデオ無線送受信システム
１０  ビデオ送信機
１１，１２，１３  ビデオ再生装置
１４  ビデオ入力切替回路部
１４ａ，１４ｂ，１４ｃ  ビデオ入力端子
１５  ビデオ送信回路部
１６  アンテナ
１７  リモコン受信回路部
１８  発光回路部
２０  データ変換手段
２１  第１のメモリ回路部
２２  第２のメモリ回路部
２３  第３のメモリ回路部
２４  ビデオ入力設定手段
３０  ビデオ受信機
３１  アンテナ
３２  ビデオ受信回路部
３３  音声回路部
３４  表示回路部
３５  赤外線リモコン送信機
３５ａ  ビデオ入力選択キー
３５ｃ  共通機能キー
３６  受光回路部
３７  リモコン送信回路部
３８  テレビジョン
４０  データ変換手段
４１  第１のメモリ回路部
４２  第２のメモリ回路部
４３  第３のメモリ回路部
４４  ビデオ入力設定手段
【図１】
0003606378.tif 000002
【図２】
0003606378.tif 000003
【図３】
0003606378.tif 000004
【図４】
0003606378.tif 000005
【図５】
0003606378.tif 000006
【図６】
0003606378.tif 000007
【図７】
0003606378.tif 000008